(57)【特許請求の範囲】
【請求項１】
内容物を収納する容器本体と、この容器本体に回動可能に枢着され容器の開放と密閉を司るカバーとを有し、前記容器本体と前記カバーとの間の不所望の開放を防止するロック機構を備える開閉式容器において、
前記ロック機構は、前記カバーに設けられた第１の係合部と、前記容器本体に設けられ前記第１係合部に対する係合・離脱によって前記カバーを回動させて容器を開閉する第２係合部とからなり、
前記第１の係合部および前記第２の係合部の相互間に、容器を密閉する際に発する密閉音を消去する消音材を設け、
当該消音材を、容器を密閉する状態では前記第１係合部周りに厚さを持たせるように変形して当該第１係合部を前記第２係合部に対して押圧する一方、容器を開放する状態では前記変形の弾性復帰により前記第１係合部を前記第２係合部から離間する方向に付勢力を発生する容器本体側弾性部材としたことを特徴とする消音材を備える開閉式容器。
【請求項２】
請求項１において、前記ロック機構は、前記容器本体の外壁内面と前記受皿の対向面との相互間に空間を形成し、この空間内に、所定の露出長さを持って一部分が前記容器本体から露出するように弾性保持されたスライドピースを具え、
前記第２係合部を前記スライドピースに設けて、前記容器を密閉する際には、前記第１係合部を前記第２係合部に係合させて前記カバーを前記容器本体に対してロックし、前記容器を開放するに際しては、前記スライドピースの前記一部分を押圧することにより、該スライドピースを弾性力に抗して内方に向けてスライドさせて前記第１係合部を前記第２係合部から離脱させるものであり、
前記容器本体側弾性部材は、前記スライドピースに設けてなるものである、容器。
【請求項３】
請求項１又は２において、前記消音材として、前記カバーに設けられ、容器を密閉する状態では前記第２係合部周りに厚さを持たせるように変形して当該第２係合部を前記第１係合部に対して押圧する一方、容器を開放する状態では前記変形の弾性復帰により前記第１係合部を前記第２係合部から離間する方向に付勢力を発生するカバー側弾性部材を付加して備える、容器。
【発明の詳細な説明】
【０００１】
【発明の属する技術分野】
本発明は、カバーに設けられた第１係合部と、容器本体に設けられた第２係合部とからなるロック機構を備える開閉式容器であって、特に、カバーによって容器本体を密閉する際に発する密閉音を軽減するための開閉式容器に関するものである。
【０００２】
【従来の技術】
容器本体に回動可能に枢着され容器の開放と密閉を司るカバーを有する容器は、例えば、ファンデーションなどの化粧料が収納されるコンパクト容器や、化粧料と共に口紅やアイラインなどを引くために使用される化粧用具を収納するケースなどに用いられている。
【０００３】
こうした容器は、カバーに設けられた第１係合部と、容器本体に設けられ第１係合部に対する係合・離脱によってカバーを回動させて容器を開閉する第２係合部とからなるロック機構を具え、これら第１係合部および第２係合部は、フック部およびフック嵌合部からなるのが一般的である。このため、容器を密閉する際には、フック部をフック嵌合部に嵌合させることにより、カバーを容器本体に対してロックした状態で容器を運搬することが可能となる。また、カバーを開放して内容物を取り出すに際しては、容器本体側のフック部またはフック嵌合部付近を容器内方に向けて押し込むことにより、フック部をフック嵌合部から解放してロックを解除する。
【０００４】
しかしながら、従来のロック機構は、フック部をフック嵌合部に係合させて容器を密閉するときに、その係合または離脱によって密閉音を発生するため、この密閉音が使用者に不快感を与えることがあるという不都合があった。
【０００５】
【発明が解決しようとする課題】
本発明は、上述した問題点を解決するためになされたものであって、容器を密閉する際に生じる不快な密閉音を軽減することにより、さらに快適に使用できる開閉式容器を提供することを目的とする。
【０００６】
【課題を解決するための手段】
本発明に係る、消音材を備える開閉式容器は、内容物を収納する容器本体と、この容器本体に回動可能に枢着され容器の開放と密閉を司るカバーとを有し、容器本体とカバーとの間の不所望の開放を防止するロック機構を備える。
【０００７】
上記ロック機構は、カバーに設けられた第１の係合部と、容器本体に設けられ第１係合部に対する係合・離脱によってカバーを回動させて容器を開閉する第２係合部とからなり、第１の係合部および第２の係合部の相互間に、容器を密閉する際に発する密閉音を消去する消音材を設けてなる。
【０００８】
この場合、第１の係合部および第２の係合部の相互間に設けた消音材が、容器を密閉する際に、第１係合部および第２係合部を係合させることにより生じる不快な密閉音を消去することができる。
【０００９】
従って本発明によれば、容器を密閉する際に発生する不快な密閉音を消去することにより、さらに快適に使用できる開閉式容器を提供できる。
【００１０】
更に本発明において、上記消音材は、容器を密閉する状態では前記第１係合部周りに厚さを持たせるように変形して当該第１係合部を第２係合部に対して押圧する一方、容器を開放する状態では前記変形の弾性復帰により第１係合部を第２係合部から離間する方向に付勢力を発生する容器本体側弾性部材とする。
【００１１】
これにより、容器を密閉する状態ではカバーと容器本体とを強固に保持することができる一方、容器を開放する際にはカバーと容器本体との間にカバーを開放する向きの付勢力が作用するため、カバーを自動的に開放することができる。
【００１２】
【実施例】
以下、本発明の実施例を、添付図面に基づき詳細に説明する。
【００１３】
図１は、本発明の第１の実施例に係る、消音材を備える開閉式容器を示し、（ａ）は容器を側面から示す一部断面図、（ｂ）は容器を上方から示す一部断面図である。また図２は、図１のＡ−Ａ断面図、図３は、図２の消音材を示す拡大断面図、図４は、図１のＢ−Ｂ断面図である。
【００１４】
容器１０は、コンパクト容器であって、図１（ａ）に示す如く、容器本体１１と、この容器本体１１に回動可能に枢着され容器１０の開放と密閉を司るカバー１２とを有し、このカバー１２は容器本体１１に対して、例えば、図１（ｂ）および図２に示す如く、軸ピンＨによって回動可能に枢着される。また容器１０は、容器本体１１とカバー１２との間の不所望の開放を防止する後述のロック機構を具え、容器本体１１は、その内側にファンデーションなどの内容物を収納する別体の受皿１３を両面テープ、接着剤、アンダーカットなどの手段を用いて配置・固定している。
【００１５】
上記ロック機構は、図１（ｂ）に示す如く、容器本体１１の外壁内面１１ｆと受皿１３の対向面１３ｆとの相互間に形成された空間１４内に配置されたスライドピース１５を具える。詳細には、図２に示す如く、カバー１２には第１の係合部であるフック部１６を設ける一方、スライドピース１５にはフック部１６に対して係合・離脱によってカバー１２を回動させて容器１０を開閉する第２の係合部であるフック嵌合部１７を設ける。
【００１６】
上記ロック機構は更に、図１（ｂ）に示す如く、スライドピース１５と受皿１３の対向面１３ｆとの相互間でフック嵌合部１７の中心からほぼ対称な２箇所に配置された弾性部材Ｅ１および弾性部材Ｅ２を具える。弾性部材Ｅ１および弾性部材Ｅ２は、棒材または板材を折り曲げた形状であって、これら弾性部材Ｅ１，Ｅ２によりスライドピース１５は、その一部分１５ｐが所定の露出長さＬ１を持って容器本体１１の外壁に形成された開口部から露出するように弾性保持するものである。
【００１７】
更にスライドピース１５は、図３に示す如く、容器本体側弾性部材である第２弾性部材Ｅ３を更に備え、この第２弾性部材Ｅ３は、容器１０を密閉する際に発する密閉音を消去する消音材として、スライドピース１５からフック部１６に対して厚さδ１だけ突出している。このため、第２弾性部材Ｅ３は、容器１０を密閉する状態ではフック部１６をフック嵌合部１７に対して押圧する一方、容器１０を開放する状態ではフック部１６をフック嵌合部１７から離間する方向に付勢力を発生させる。
【００１８】
図５は、カバー１２を開放する際にスライドピース１５に作用する力を示すモデル図である。以下、図５を参照し、スライドピース１５の作用を詳細に説明する。
【００１９】
使用者が容器１０を開放するため、図５に示す如く、スライドピースの露出部１５ｐをその中心Ｏ付近から弾性部材Ｅ２に比べて弾性部材Ｅ１に近い位置Ｐで押圧した場合、スライドピース１５に対する弾性保持部分は、フック嵌合部１７の中心Ｏから対称な２箇所に配置した弾性部材Ｅ１および弾性部材Ｅ２であるから、スライドピース１５の露出部１５ｐに作用する押圧力は、その押圧点Ｐから遠い位置にある弾性保持部分（弾性部材Ｅ２）に比べて、その押圧点Ｐから近い位置にある弾性保持部分（弾性部材Ｅ１）に大きく作用する。このため、弾性部材Ｅ１による弾性保持部分ではスライドピース１５のスライドによって弾性部材Ｅ２に生じるクリアランスＣ２に比べて大きなクリアランスＣ１を確保できる。
【００２０】
このため、容器１０を密閉する際には、図２および図３に示す如く、スライドピース１５に加わる弾性部材Ｅ１および弾性部材Ｅ２の付勢力によりフック部１６をフック嵌合部１７に嵌合させてカバー１２を容器本体１１に対してロックする。
【００２１】
この場合、フック部１６およびフック嵌合部１７の相互間に設けた第２弾性部材Ｅ３は、容器１０を密閉する際に、フック部１６およびフック嵌合部１７を嵌合させることにより生じる不快な密閉音を消去する。
【００２２】
従って、本実施例によれば、容器１０を密閉する際に発生する不快な密閉音を消去することにより、さらに快適に使用できる開閉式容器を提供できる。
【００２３】
また、本実施例において、スライドピース１５に設けた第２弾性部材Ｅ３は、容器１０を密閉する状態ではフック部１６をフック嵌合部１７に対して押圧する一方、容器１０を開放する状態ではフック部１６をフック嵌合部１７から離間する方向に付勢力を発生させるから、容器１０を密閉する状態では容器本体１１とカバー１２を強固に保持することができる一方、容器１０を開放する際には容器本体１１とカバー１２との間に容器１０を開放する向きの付勢力が作用するため、カバー１２を自動的に開放することができる。
【００２４】
なお、容器１０を開放するに際しては、スライドピース１５を露出部１５ｐにおける任意の位置で押圧し、このスライドピース１５を弾性部材Ｅ１および弾性部材Ｅ２の弾性力に抗して内方にスライドさせることによりフック部１６をフック嵌合部１７から離脱させる。
【００２５】
図６は、本発明の第２の実施例に係る、消音材を備える開閉式容器を示し、（ａ）は容器を側面から示す一部断面図、（ｂ）は容器を上方から示す一部断面図である。また図７は、図６のＣ−Ｃ断面図、図８は、図７の消音材周辺を示す拡大断面図、図９は、図６のＤ−Ｄ断面図である。
【００２６】
容器２０は、化粧料や化粧用具などを収納するケースであって、図６（ａ）に示す如く、容器本体２１と、この容器本体２１に回動可能に枢着され容器２０の開放と密閉を司るカバー２２とを有し、このカバー２２は容器本体２２に対して、例えば、図６（ｂ）に示す如く、軸ピンＨによって回動可能に枢着される。またケース２０は、容器本体２１とカバー２２との間の不所望の開放を防止する後述のロック機構を具え、容器本体２１は、ファンデーションや化粧用具などを収納する受皿２３を一体に有する。
【００２７】
上記ロック機構は、図６（ｂ）に示す如く、容器本体２１の外壁内面２１ｆと受皿２３の対向面２３ｆとの相互間に形成された空間２４内に配置されたスライドピース２５を具える。詳細には、図７に示す如く、カバー２２に第１係合部であるフック嵌合部２６を設ける一方、スライドピース２５にはフック嵌合部２６に対して係合・離脱によってカバー２２を回動させてケース２０を開閉する第２係合部であるフック部２７を設ける。
【００２８】
上記ロック機構は更に、図６（ｂ）に示す如く、スライドピース２５と受皿２３の対向面２３ｆとの相互間でフック部２７の中心Ｏからほぼ対称に配置された複数の弾性部材Ｅ５および弾性部材Ｅ６を具える。弾性部材Ｅ５および弾性部材Ｅ６はそれぞれ、受皿２３の対向面２３ｆに指向する凸形状であって、フック部２７の中心Ｏからスライドピース２５の端部に沿って等間隔に設けられ、スライドピース２５に取り付けられている。これら弾性部材Ｅ５および弾性部材Ｅ６によりスライドピース２５は、その一部分２５ｐが所定の露出長さＬ２を持って容器本体２１の外壁に形成された開口部から露出するように弾性保持するものである。
【００２９】
更にスライドピース２５は、図８に示す如く、容器本体側弾性部材である第２の弾性部材Ｅ７を更に具え、この第２弾性部材Ｅ７は、ケース２０を密閉する際に発する密閉音を消去する消音材として、スライドピース２５からフック嵌合部２６に対して厚さδ２だけ突出している。加えて、カバー２２はその内面にカバー側弾性部材である第２弾性部材Ｅ８を備え、この第２弾性部材Ｅ８も、ケース２０を密閉する際に発する密閉音を消去する消音材として、フック部２７に対して厚さδ３だけ突出している。このため、第２弾性部材Ｅ７および第２弾性部材Ｅ８は、ケース２０を密閉する状態ではフック部２７をフック嵌合部２６に対して押圧する一方、ケース２０を開放する状態ではフック部２７をフック嵌合部２６から離間する方向に付勢力を発生させる。
【００３０】
ここで、第１実施例で使用した図５を参照して、第２実施例の作用を詳細に説明する。なお、以下の説明では、複数の弾性部材Ｅ５全体によってスライドピース２５を弾性保持した場合にスライドピース２５に対して外力が作用する部分を図５に示す符号Ｅ１とし、複数の弾性部材Ｅ６全体によってスライドピース２５を弾性保持した場合にスライドピース２５に対して外力が作用する部分を図５に示す符号Ｅ２とする。
【００３１】
使用者がケース２０を開放するため、第１実施例と同様、スライドピース２５（符号１５に相当）の露出部２５ｐ（符号１５ｐに相当）をその中心付近Ｏから弾性部材Ｅ６（符号Ｅ２に相当）に比べて弾性部材Ｅ５（符号Ｅ１に相当）に近い位置Ｐで押圧した場合、スライドピース２５に対する弾性保持部分は、フック部２７の中心から対称に配置した複数の弾性部材Ｅ５および弾性部材Ｅ６であるから、スライドピース２５の露出部２５ｐに作用する押圧力は、その押圧点Ｐから遠い位置にある弾性保持部分（符号Ｅ２に相当）に比べて、その押圧点Ｐから近い位置にある弾性保持部分（符号Ｅ１に相当）に大きく作用する。このため、弾性部材Ｅ５側による弾性保持部分ではスライドピース２５のスライドによって弾性部材Ｅ６に生じるクリアランスＣ６（符号Ｃ２に相当）に比べて大きなクリアランスＣ５（符号Ｃ１に相当）を確保できる。
【００３２】
このため、第１実施例と同様、カバー２２を閉鎖する際には、図７および図８に示す如く、スライドピース２５に加わる弾性部材Ｅ５および弾性部材Ｅ６の付勢力によりフック嵌合部２６をフック部２７に嵌合させてカバー２２を容器本体２１に対してロックする。
【００３３】
この場合、フック部２７およびフック嵌合部２６の相互間に設けた弾性部材Ｅ７および弾性部材Ｅ８は、ケース２０を密閉する際に、フック部２７およびフック嵌合部２６を嵌合させることにより生じる密閉音を消去する。
【００３４】
従って、本実施例によれば、第１実施例と同様、ケース２０を密閉する際に発生する不快な密閉音を消去することにより、さらに快適に使用できる開閉式容器を提供できる。
【００３５】
また、本実施例において、スライドピース２５に設けられた第２弾性部材Ｅ７は、容器２０を密閉する状態ではフック部２７をフック嵌合部２６に対して押圧する一方、容器２０を開放する状態ではフック部２７をフック嵌合部２６から離間する方向に付勢力を発生させるから、容器２０を密閉する状態では容器本体２１とカバー２２を強固に保持することができる一方、容器２０を開放する際には容器本体２１とカバー２２との間に容器２０を開放する向きの付勢力が作用するため、カバー２２を自動的に開放することができる。
【００３６】
なお、容器２０を開放するに際しては、スライドピース２５を露出部２５ｐにおける任意の位置で押圧し、このスライドピース２５を弾性部材Ｅ５および弾性部材Ｅ６の弾性力に抗して内方にスライドさせることによりフック嵌合部２６をフック部２７から離脱させる。
【００３７】
上述したところは本発明の好適な実施例を示したに過ぎず、当業者によれば、その技術的範囲を逸脱することなく、種々の変更を加えることができる。例えば、第１実施例の容器本体１１に設けられたフック部１６は、スライドピース１５に設けるのではなく、容器本体１１に直接設けられた一般的なコンパクト容器でもよい。第２実施例も同様に、容器本体２１に設けられたフック嵌合部２６は、スライドピース２５に設けるのではなく、容器本体２１に直接設けられた一般的なケースでもよい。
【図面の簡単な説明】
【図１】  本発明に係る消音材を備える開閉式容器の第１の実施例であって、（ａ）は容器を側面から示す一部断面図、（ｂ）は容器を上方から示す一部断面図である。
【図２】  図１のＡ−Ａ断面図である。
【図３】  図２の消音材を示す拡大図である。
【図４】  図１のＢ−Ｂ断面図である。
【図５】  容器を開放する際にスライドピースに作用する力を示す力学モデル図である。
【図６】  本発明の第２実施例であって、（ａ）は容器を側面から示す一部断面図、（ｂ）は容器を上方から示す一部断面図である。
【図７】  図１のＣ−Ｃ断面図である。
【図８】  図７の消音材を示す拡大図である。
【図９】  図１のＤ−Ｄ断面図である。
【符号の説明】
１０  開閉式容器（第１実施例）
１１  容器本体
１１ｆ  容器本体の外壁内面
１１ｆs  容器本体の側壁内面
１２  カバー
１３  受皿
１３ｆ  受皿の対向面
１４  スライドピース配置空間
１５  スライドピース
１５ｐ  スライドピース露出部
１５ｓ  スライドピース端部
１６  フック部
１７  フック嵌合部
２０  ケース（第２実施例）
２１  容器本体
２１ｆ  容器本体の外壁内面
２１ｆs  容器本体の側壁内面
２２  カバー
２３  受皿
２３ｆ  受皿の対向面
２４  スライドピース配置空間
２５  スライドピース
２５ｐ  スライドピース露出部
２６  フック嵌合部
２７  フック部
Ｃ１，Ｃ２，Ｃ５，Ｃ６  クリアランス
Ｅ１，Ｅ２，Ｅ５，Ｅ６  弾性部材
Ｅ３，Ｅ７，Ｅ８  第２弾性部材（消音材）
【図１】
0003967072.tif 000002
【図２】
0003967072.tif 000003
【図３】
0003967072.tif 000004
【図４】
0003967072.tif 000005
【図５】
0003967072.tif 000006
【図６】
0003967072.tif 000007
【図７】
0003967072.tif 000008
【図８】
0003967072.tif 000009
【図９】
0003967072.tif 000010